(57)【要約】【課題】右給水，左給水の何れにも同一のフラッシュバルブ装置にて対応可能であり、且つカバーに分割ラインを生ぜしめることなく、外観においても良好なコントローラユニット付且つカバー付のフラッシュバルブ装置を提供する。【解決手段】左右何れか一方の側面から給水用配管２０を突出させる下部のバルブユニットと、バルブユニットを動作制御する、バルブユニットに対する相対的な左右の取付けの向きを逆転可能な上部のコントローラユニットと、それらコントローラユニット及びバルブユニットを覆う状態に外側から被せられるカバー１６とを有し、且つカバー１６は底面が開口形状の一体構造をなしていて、コントローラユニット及びバルブユニットに対し上から下向きに被せられるものであり、左右の側面のそれぞれには給水用配管２０を通す左右対称形状の切欠６４Ｒ，６４Ｌを設けておく。【選択図】        図１
2006283353.tif 000002
【特許請求の範囲】
【請求項１】
（a）左右何れか一方の側面から給水用配管を突出させる下部のバルブユニットと、（b）該バルブユニットを動作制御する、該バルブユニットに対する相対的な左右の取付けの向きを逆転可能な上部のコントローラユニットと、（c）それらコントローラユニット及びバルブユニットを覆う状態に外側から被せられるカバーと、を有し、且つ該カバーは底面が開口形状の一体構造をなしていて、前記コントローラユニット及びバルブユニットに対し上から下向きに被せられるものであり、左右の側面のそれぞれには前記給水用配管を挿通可能な切欠が設けられていることを特徴とするフラッシュバルブ装置。
【請求項２】
請求項１において、前記バルブユニットの底部に固定されて前記カバーの底面の開口を該カバーの内側で閉鎖する底プレートが備えてあり、該底プレートは左右端のそれぞれに起立部を有していて、一方の起立部は前記一対の切欠の一方を内側から閉鎖する形状に、他方の起立部は前記給水用配管の挿通空間を残して他方の切欠を閉鎖する形状に形成してあることを特徴とするフラッシュバルブ装置。
【発明の詳細な説明】
【技術分野】
【０００１】
この発明はフラッシュバルブ装置に関し、詳しくは右給水，左給水の何れにも対応可能なフラッシュバルブ装置に関する。
【背景技術】
【０００２】
従来、レバーを押動操作すると弁部を開いて便器洗浄水を流し、そして設定量便器洗浄水を流したところで自動的に弁部を閉じて給水停止するフラッシュバルブ装置が広く用いられている。
近年、かかるフラッシュバルブ装置として、便器洗浄水の給水と給水停止とを行う下部のバルブユニットと、バルブユニットを動作制御する上部のコントローラユニットと、それらコントローラユニット及びバルブユニットを覆う状態に外側から被せられるカバーとを備えたフラッシュバルブ装置が提案されている。
【０００３】
このコントローラユニット付のフラッシュバルブ装置で従来既存のフラッシュバルブ装置を置換すれば、従来人手にてレバーを押動操作する必要があったのが、自動で便器洗浄水の給水と給水停止、即ち洗浄操作を行うことを可能となすことができ、利便性を高めることができる。
ところでフラッシュバルブ装置の設置されている現場によって、かかるフラッシュバルブ装置に対し右側から給水用配管が接続される右給水の場合と、左側から給水用配管が接続される左給水の場合とがあり、従って既存のフラッシュバルブ装置をコントローラユニット付のフラッシュバルブ装置にて置換する場合（置換ではなくて新規に設置する場合であっても同様）、その何れにも対応できることが望ましい。
【０００４】
フラッシュバルブ装置を右給水，左給水それぞれ専用に構成することも可能であるが、この場合、フラッシュバルブ装置の種類が不必要に多くなってしまい、これに伴って所要コストも高くなってしまう。
また現場でフラッシュバルブ装置を設置施工する際、本来右給水のフラッシュバルブ装置であるべきところを誤って左給水のフラッシュバルブ装置を持ち込んだり、或いは本来左給水のフラッシュバルブ装置であるべきところを右給水のフラッシュバルブ装置を持ち込んだりしたとき、現場でのフラッシュバルブ装置の設置施工ができなくなってしまう。
【０００５】
コントローラユニット付のフラッシュバルブ装置として右給水，左給水の何れにも共通に対応可能となしたものが下記特許文献１に開示されている。
図１２はその具体例を示している。
同図において２００はコントローラユニット付のフラッシュバルブ装置で、２０２はカバーである。
カバー２０２は分割位置Ｐで上カバー２０４と、下カバー２０６とに分割されている。
【０００６】
上カバー２０４の内部にはコントローラユニットが収容され、且つかかるコントローラユニットが上カバー２０４の内面に固定状態とされている。
また下カバー２０６の内部にはバルブユニット２０７が収容され、且つこのバルブユニット２０７が下カバー２０６に固定されている。
上カバー２０４は、その内部のコントローラユニットとともに下カバー２０６に対する相対的な取付けの向きを左右に逆転可能とされている。
【０００７】
２０８は上カバー２０４に設けられた、人体検知センサによる人体検知のためのセンサ窓であり、また２１０はバルブユニット２０７に一体に形成された給水用配管の一部、２１２は排水用配管の一部である。
尚このフラッシュバルブ装置２００には、手動にて弁を開操作するための手動操作部２１４が備えられている。
【０００８】
このフラッシュバルブ装置２００では、上カバー２０４及びその内部のコントローラユニットを正面に向けたまま、下カバー２０６をその内部に収容されたバルブユニット２０７とともに左右の向きを逆転させて設置することができ、従ってこのフラッシュバルブ装置２００の場合、右給水，左給水の何れに対しても共通のフラッシュバルブ装置２００にて対応することが可能である。
しかしながらこのフラッシュバルブ装置２００では、そのためにカバー２０２を上カバー２０４と下カバー２０６とに分割しているため、上カバー２０４と下カバー２０６との繋ぎ目に分割ライン（分割位置Ｐ）が生じてしまい、設置状態において外観を損ねてしまう問題が内在する。
【０００９】
【特許文献１】特開２０００−２３４３６８号公報
【発明の開示】
【発明が解決しようとする課題】
【００１０】
本発明はこのような事情を背景とし、右給水，左給水の何れにも同一のフラッシュバルブ装置にて対応可能であり、且つカバーに分割ラインを生ぜしめることなく、外観においても良好なコントローラユニット付のフラッシュバルブ装置を提供することを目的としてなされたものである。
【課題を解決するための手段】
【００１１】
而して請求項１のものは、（a）左右何れか一方の側面から給水用配管を突出させる下部のバルブユニットと、（b）該バルブユニットを動作制御する、該バルブユニットに対する相対的な左右の取付けの向きを逆転可能な上部のコントローラユニットと、（c）それらコントローラユニット及びバルブユニットを覆う状態に外側から被せられるカバーと、を有し、且つ該カバーは底面が開口形状の一体構造をなしていて、前記コントローラユニット及びバルブユニットに対し上から下向きに被せられるものであり、左右の側面のそれぞれには前記給水用配管を挿通可能な切欠が設けられていることを特徴とする。
【００１２】
請求項２のものは、請求項１において、前記バルブユニットの底部に固定されて前記カバーの底面の開口を該カバーの内側で閉鎖する底プレートが備えてあり、該底プレートは左右端のそれぞれに起立部を有していて、一方の起立部は前記一対の切欠の一方を内側から閉鎖する形状に、他方の起立部は前記給水用配管の挿通空間を残して他方の切欠を閉鎖する形状に形成してあることを特徴とする。
【発明の作用・効果】
【００１３】
以上のように本発明は、コントローラユニット及びバルブユニットを外側から覆うカバーを、底面が開口形状の一体構造となして、かかるカバーをこれらコントローラユニット及びバルブユニットに対し上から下向きに被せるようになし、更にそのカバーの左右の側面のそれぞれには、給水用配管を挿通可能な切欠を設けたもので、本発明によれば、右給水の場合には給水用配管をカバーの右側面の切欠に通すことで、また左給水の場合には給水用配管をカバーの左側面の切欠に通すことで、カバーの構造を一体構造に保ちつつ右給水，左給水の何れにも同一のフラッシュバルブ装置にて対応することが可能となる。
かかる本発明によれば、カバーを上カバーと下カバーとに分割することによって生ずる分割ラインをカバーに生ぜしめるといったことがなく、設置状態での外観を良好に保持することができる。
【００１４】
本発明においては、バルブユニットの底部に固定されてカバーの底面の開口をカバーの内側で閉鎖する底プレートを設け、且つその底プレートには左右端のそれぞれに起立部を設けて、一方の起立部にてカバーの一対の切欠の一方を内側から閉鎖し、また他方の起立部にて給水用配管の挿通空間を残す状態で他方の切欠を閉鎖するようになしておくことができる（請求項２）。
このようにしておけば、カバーの左右の側面に切欠を設けた場合においても、その切欠によってフラッシュバルブ装置の外観が損なわれるのを防止することができる。
この場合において底プレートは上記カバーと同配色となしておくことができる。
【発明を実施するための最良の形態】
【００１５】
次に本発明の実施形態を図面に基づいて詳しく説明する。
図１〜図４において、１０は本実施形態のフラッシュバルブ装置で、下部のバルブユニット１２（図４参照），上部のコントローラユニット１４（図４参照）、及びこれらを外側から覆うカバー１６を有している。
バルブユニット１２は、図４中左側面に接続口１８が設けられており、そこに給水用配管の一部を成す継手管２０が接続され、かかる継手管２０が図１，図２にも示しているようにバルブユニット１２の左側面から左方に突出している。
尚この継手管２０には止水栓２２が一体に構成されている。
【００１６】
一方バルブユニット１２の右側面からは、図２に示しているように押ボタン式の手動操作部２４が右方に突出している。
この手動操作部２４は、停電時等の非常時においてこれを図中左向きに押込操作することで、バルブユニット１２の弁部を開いて便器洗浄水を流出させるためのものである。
他方バルブユニット１２の底面には排水用配管の接続口が設けられており、そこに排水用配管の一部を成す継手管２５が図中下向きに突出する状態で接続されている。
【００１７】
バルブユニット１２の上部には、図４に示しているように鍔状に突出した形態の固定部２６が設けられており、そこに固定ねじ２８が前後左右４箇所に螺合されている。
ここで図４中前側の２つの固定ねじ２８と、後側の２つの固定ねじ２８とは、それぞれ左右の間隔が同じ間隔とされており、また図中左側の２つの固定ねじ２８と、右側の２つの固定ねじ２８とは何れも左右方向の同じ位置に設けられている。
そしてこれら４箇所の固定ねじ２８によって、上部のコントローラユニット１４が固定部２６、即ちバルブユニット１２に取付プレート３０を介して取付固定されるようになっている。
【００１８】
取付プレート３０は、図４及び図５に示しているように下向きに突き出した４本の脚３２を有しており、それぞれの端部に直角に折れ曲がった締結部３４が設けられている。
これら締結部３４には、固定ねじ２８を挿通するためのＵ字状の切欠３６が設けられており、取付プレート３０は固定ねじ２８の軸部をこれらＵ字状の切欠３６に挿通させ、その状態で固定ねじ２８を図４及び図６中下向きに締め込むことによって、バルブユニット１２の固定部２６に固定される。
尚Ｕ字状の切欠３６は何れも同方向、即ち図４及び図５中右向きに開口するように形成されている。
【００１９】
上部のコントローラユニット１４は、図４に示しているようにその主体を成すコントローラ３８と電源トランス４０とを有しており、それぞれが取付プレート３０によって支持されている。
このコントローラ３８は透明なケースを有しており、その内部に正面の人体を検知するための人体検知センサ４２と制御基盤とが内蔵されている。
この人体検知センサ４２は正面の人体(使用者)を検知し、その検知時間の長短に応じて大便か小便かを判断し、これに応じて便器洗浄水の流出量を決定するためのものである。
【００２０】
４４は手かざし用の人体検知センサ（非接触スイッチ）４６を内蔵した、コントローラ３８とは別体を成すセンサユニットで、取付プレート４８によって支持されている。
ここで取付プレート４８は、その基端が固定ねじ５０にてコントローラ３８に固定されている。
また他端には軸部の長いねじ５１が螺合されている。
【００２１】
ねじ５１は、センサユニット４４に設けられたボス部５４の挿通孔を挿通して図中上向きに突き出しており、その突き出した端部に大径の頭部５２を有している。
このねじ５１の軸部且つボス部５４と取付プレート４８との間にはコイルスプリング５６が嵌装されており、センサユニット４４に対し図中上向きの付勢力を及ぼしている。
即ちセンサユニット４４は、このコイルスプリング５６によって下側から弾性支持されている。
尚センサユニット４４のケースは、人体検知センサ４６に対応した部分が透光性の材料で構成されており、且つその上面が前方に向けて斜め下向きに傾斜した面とされている。
【００２２】
上記カバー１６は、図７に示しているように底面が開口形状をなしており、上記のコントローラユニット１４，バルブユニット１２に対し上から下向きに被せられてそれら全体を外側から覆っている。
このカバー１６の前面には、図１に示しているように上記人体検知センサ４２に対応したセンサ窓５８が設けられており、またその頂面には手かざし用の人体検知センサ４６に対応したセンサ窓６０が設けられている。
ここでカバー１６の頂面は、前方に向って斜め下向きに傾斜した面とされており、センサ窓６０もまた同様の傾斜面をなしている。
【００２３】
尚このカバー１６は、図２に示しているように左右の側面において固定ねじ６２により上記の取付プレート３０、即ち上部のコントローラユニット１４を下部のバルブユニット１２に取付固定するための取付プレート３０に固定されている。
【００２４】
図７に示しているように、カバー１６には左右の側面のそれぞれに互いに左右対称形状を成すＵ字状の切欠６４Ｒ，６４Ｌが設けられている。
ここで各切欠６４Ｒ，６４Ｌは図１１（イ）に示しているように前後方向（カバー１６の奥行方向で図１１（イ）中の左右方向）の中央部に設けられており、且つ切欠６４Ｒ，６４Ｌ自体の形状も中心線Ｑに対して前後対称形状とされている。
更にこれら切欠６４Ｒ，６４Ｌはカバー１６の各下端に連続して設けられている。
これら切欠６４Ｒ，６４Ｌは給水用配管、ここでは継手管２０をカバー１６内からカバー１６外に挿通可能な形状で形成されている。
【００２５】
図４に示しているように、下部のバルブユニット１２の底部にはコ字形状をなす底プレート６６が固定されている。
図８に詳しく示しているようにこの底プレート６６は、カバー１６の底面の開口をカバー１６の内側で閉鎖する本体部６８と、その両端の起立部７０，７２とを備えている。
一方の起立部７０は、カバー１６の切欠６４Ｒ，６４Ｌよりも僅かに大きく形成されており、カバー１６の切欠６４Ｒ，６４Ｌを内側から閉鎖可能な形状とされている。
他方の起立部７２は給水用配管、即ちここでは継手管２０の挿通空間を残して切欠６４Ｒ，６４Ｌをカバー１６の内側から閉鎖する形状となしてあり、その上端に継手管２０の外周に沿った半円形状の切欠７４を有している。
【００２６】
尚、上記一方の起立部７０には上記の手動操作部２４を突出させるための円形の貫通穴７６が形成されており、また本体部６８には排水用配管、具体的には継手管２５を下向きに挿通させるための円形の貫通穴７８が形成されている。
尚この底プレート６６はカバー１６と同配色とされている。
【００２７】
本実施形態のフラッシュバルブ装置１０では、カバー１６を装着した状態の下でセンサ窓６０の上方に使用者が手をかざすと、人体検知センサ４６がこれを検知し、その検知信号に基づいてコントローラ３８が弁開信号を出し、バルブユニット１２の弁部を開動作させる。
これにより便器洗浄水が便器に向けて給水され、便器洗浄が自動的に行われる。
尚この実施形態のフラッシュバルブ装置１０では、使用者がセンサ窓６０の上方に手をかざし忘れた場合であっても、即ち使用者が洗浄操作をし忘れた場合であっても、使用者が便器から立ち去ることによって人体検知センサ４２による人体検知、具体的には人体が立ち去ったことを検知して、コントローラ３８から弁開信号が発せられ、これを受けてバルブユニット１２が弁部を開いて自動的に便器洗浄水を便器に向けて給水する。
【００２８】
本実施形態のフラッシュバルブ装置１０は、カバー１６を取り外した状態の下で下部のバルブユニット１２が上部のコントローラユニット１４に対し、その取付けの向きを左右且つ前後に逆転可能である。
図１〜図４はフラッシュバルブ装置１０を左給水に対応させた場合を表しているが、バルブユニット１２の取付けの向きを左右及び前後に逆転させることで、容易に右給水に対しても対応することができる。
図９及び図１０は、その右給水に対応させた場合を表している。
この場合バルブユニット１２から図中右向きに突出した給水用配管、具体的には継手管２０がカバー１６の右側面の切欠６４Ｒを挿通して図中右向きに突出した状態となる。
【００２９】
即ち図１〜図４の左給水の場合には、継手管２０がカバー１６の左側面の切欠６４Ｌを挿通して外部に突出しているが、図９及び図１０の右給水の場合には、バルブユニット１２の向きの逆転（左右逆転）によって、継手管２０がカバー１６の右側面の切欠６４Ｒを挿通して図中右方に突出した状態となる。
【００３０】
尚このとき、底プレート６６もまた左右の向きを逆転させる。
左給水の場合には、カバー１６の右側面の切欠６４Ｒを内側から閉鎖していたＵ字状の底プレート６６の起立部７０が、今度は図中左側に位置した状態となって、カバー１６の左側面の切欠６４Ｌを内側から閉鎖した状態となる。
また他方の起立部７２は、図１〜図４の左給水の場合にはカバー１６の左側面の切欠６４Ｌを、継手管２０の挿通空間を残した状態で内側から閉鎖した状態となるが、図９及び図１０の右給水の場合には、この起立部７２が図中右側に位置して、カバー１６の右側面の切欠６４Ｒを継手管２０の挿通空間を残した状態で、かかる切欠６４Ｒをカバー１６の内側から閉鎖した状態となる。
【００３１】
以上のような本実施形態のフラッシュバルブ装置１０によれば、給水用配管を右給水の場合にはカバー１６の右側面の切欠６４Ｒに、また左給水の場合にはカバー１６の左側面の切欠６４Ｌに通すことで、カバー１６の構造を一体構造に保ちつつ右給水，左給水の何れにも同一のフラッシュバルブ装置１０にて対応することができる。
従って本実施形態によれば、カバーを上カバーと下カバーとに分割することによって生ずる分割ラインをカバー１６に生ぜしめるといったことがなく、設置状態での外観を良好に保持することができる。
【００３２】
また本実施形態においては、カバー１６の底面の開口をカバー１６の内側で閉鎖する底プレート６６を設け且つこの底プレート６６に起立部７０，７２を設けて、カバー１６の左右の側面に設けた切欠６４Ｒ，６４Ｌの一方を内側から閉鎖し、また他方を給水用配管の挿通空間を残した状態で閉鎖するようになしてあるため、カバー１６の左右の側面に切欠６４Ｒ，６４Ｌを設けることによってフラッシュバルブ装置１０の外観が損なわれるのを防止することができる。
【００３３】
以上本発明の実施形態を詳述したがこれはあくまで一例示である。
例えば上例では左右の切欠６４Ｒ，６４Ｌが図１１（イ）に示しているようにカバー１６の前後方向の中央位置に形成してあるが、左右の切欠６４Ｒ，６４Ｌを図１１（ロ）に示すように平面視においてカバーの中心位置Ｏに対して点対称となる位置Ｔ１，Ｔ２に形成することも可能であるなど、本発明はその趣旨を逸脱しない範囲において種々変更を加えた形態で構成可能である。
【図面の簡単な説明】
【００３４】
【図１】本発明の一実施形態であるフラッシュバルブ装置を示す外観斜視図である。
【図２】図１のカバーの内部を示す正面図である。
【図３】図１のカバーの内部を示す側面図である。
【図４】図１のカバーの内部のバルブユニットとコントローラユニットとを分解して示す斜視図である。
【図５】図４のコントローラユニット及び取付プレートを下方から示す斜視図である。
【図６】図４のバルブユニットとコントローラユニットとの取付固定の際の作用説明図である。
【図７】図１のカバーを単体で示す図である。
【図８】図４の底プレートを単体で示す図である。
【図９】図１〜図６に示すフラッシュバルブ装置を右給水に対応させる場合の説明図である。
【図１０】右給水に対応させた状態を示す図である。
【図１１】同実施形態の切欠の形状と位置関係及び他の実施形態における位置関係を説明した図である。
【図１２】従来のフラッシュバルブ装置を示す図である。
【符号の説明】
【００３５】
１０  フラッシュバルブ装置
１２  バルブユニット
１４  コントローラユニット
１６  カバー
２０  継手管（給水用配管）
６４Ｒ，６４Ｌ  切欠
６６  底プレート
７０，７２  起立部
【図１】
2006283353.tif 000003
【図２】
2006283353.tif 000004
【図３】
2006283353.tif 000005
【図４】
2006283353.tif 000006
【図５】
2006283353.tif 000007
【図６】
2006283353.tif 000008
【図７】
2006283353.tif 000009
【図８】
2006283353.tif 000010
【図９】
2006283353.tif 000011
【図１０】
2006283353.tif 000012
【図１１】
2006283353.tif 000013
【図１２】
2006283353.tif 000014